(57)【要約】      （修正有）【課題】遊技機取付用横木を交換したり、あるいは島台自体を新しく設置し直さなくてもパチンコ機を思い通りの角度で島台に取り付けることができる遊技機取付用横木を提供する。【解決手段】遊技機取付用横木１６は平面視長方形状で板状の木材で形成された横木本体１８を備えている。この横木本体の一面１８Ａにはパチンコ機を構成するパチンコ機枠を横木本体に固定するためにドライバーで螺入されたビスで形成されたビス穴２４が多数形成されている。これらビス穴２４には穴充填用パテ２６が充填されており、横木本体の一面１８Ａはフラットになっている。既存のビス穴が形成されていた箇所にビスを螺入する場合であっても影響されずに遊技機取付横木にビスを螺入することができる。【選択図】図１
0003191430.tif 000002
【実用新案登録請求の範囲】
【請求項１】
遊技機が取り付けられる島台の遊技機収容開口部の天面と底面に固定される遊技機取付用横木において、横木本体と、この横木本体の一面にビス又は釘によって形成された穴と、この穴に充填された穴充填用パテと、を有してなることを特徴とする遊技機取付用横木。
【請求項２】
遊技機が取り付けられる島台の遊技機収容開口部の天面と底面に固定される遊技機取付用横木において、板状に形成された横木本体と、この横木本体の一面にビス又は釘によって形成された穴と、この穴の底部及び中間部に充填された第１穴充填用パテと、前記穴の少なくとも入口部に充填された第２穴充填用パテと、を有してなることを特徴とする遊技機取付用横木。
【請求項３】
遊技機が取り付けられる島台の遊技機収容開口部の天面と底面に固定される遊技機取付用横木において、板状に形成された横木本体と、この横木本体の一面にビス又は釘によって形成された穴と、この穴の底部及び中間部に充填された粘度の低い第１穴充填用パテと、前記穴の入口部に少なくとも充填された粘度の高い第２穴充填用パテと、を有してなることを特徴とする遊技機取付用横木。
【考案の詳細な説明】
【技術分野】
【０００１】
本考案は、主にパチンコ機等の遊技機が取り付けられる島台の遊技機取付用横木に関し、詳しくはビス穴等が多数形成されても継続して使用することができる遊技機取付用横木に関する。
【背景技術】
【０００２】
パチンコ店に設置された島台には遊技機として広く親しまれているパチンコ機が横一列に並べられて取り付けられている（特許文献１）。
この島台にはパチンコ機が収容される縦長長方形状のパチンコ機収容部が開口形成されており、このパチンコ機収容部の天面と底面には板状の遊技機取付用横木が適宜固定手段によって固定されている。
このパチンコ機収容部にはパチンコ機本体と共に前記パチンコ機を構成する上枠部、下枠部、左右の側枠部から形成された縦長の矩形枠状のパチンコ機枠が所定角度少し傾斜して固定されている。
前記パチンコ機を島台に取り付ける場合は、パチンコ機枠をパチンコ機収容部に収容し、パチンコ機枠の上枠部の両側部にビスを螺入してパチンコ機枠の上枠部をパチンコ機収容部の天面に設けられた遊技機取付用横木に固定し、パチンコ機枠の下枠部の両側部にビスを螺入してパチンコ機枠の下枠部をパチンコ機収容部の底面に設けられた遊技機取付用横木に固定する。
そして、パチンコ機本体を前記パチンコ機枠に適宜取付手段で取り付けることによりパチンコ機を島台に取り付けている。
ところで、パチンコ店においては通常、数週間単位又は数ヶ月単位で新規入れ替えとしてパチンコ機を新しい機種のパチンコ機に交換している。
しかし、上述したように前記パチンコ機枠はビスで島台の遊技機取付横木に固定するので、図７及び図８に示されるようにパチンコ機を交換する毎に前記遊技機取付横木１の両側部にはビス穴２が複数形成されるため、パチンコ機を交換する毎に遊技機取付横木１にはビス穴２が増加することになる。
この結果、新しいパチンコ機の交換時にパチンコ機枠を固定すべく遊技機取付横木１にビスを螺入しようとしても、螺入しようとするビスは遊技機取付横木１に既に形成されている多数のビス穴２に影響されてビスが効き難く、パチンコ機枠を遊技機取付横木１に固定できなくなるという不具合がある。
しかも、上述したように前記パチンコ機枠は所定角度少し傾斜させてパチンコ機収容部に固定する必要がある。
このため、パチンコ機枠を固定する場合にビスが効き難いとパチンコ機枠を所定角度傾斜させて固定できなくなるという不具合もある。
そこで、上記不具合を解消すべくパチンコ機の入れ替え交換時に前記遊技機取付横木１をビス穴が形成されていない遊技機取付横木に交換したり、あるいはパチンコ機の交換時に島台全体を取り壊して新しい島台を設置している。
しかし、パチンコ機の交換時にビス穴が形成されていない遊技機取付横木に交換したり、パチンコ機の交換時に島台全体を取り壊して新しい島台を設置すると、多くの労力と作業時間が必要になると共に高額な費用が必要になるため、パチンコ店にとっては極めて大きな負担となる。
【先行技術文献】
【特許文献】
【０００３】
【特許文献１】実用新案登録第３００７４９３号図１
【考案の概要】
【考案が解決しようとする課題】
【０００４】
本考案は、上記事実に鑑みなされたものであり、遊技機取付用横木を交換したり、あるいは島台自体を新しく設置し直さなくてもパチンコ機を作業者の思い通りの角度で島台に取り付けることができる遊技機取付用横木を提供するものである。
【課題を解決するための手段】
【０００５】
請求項１の考案は、遊技機が取り付けられる島台の遊技機収容開口部の天面と底面に固定される遊技機取付用横木において、横木本体と、この横木本体の一面にビス又は釘によって形成された穴と、この穴に充填された穴充填用パテと、を有してなることを特徴としている。
請求項２の考案は、遊技機が取り付けられる島台の遊技機収容開口部の天面と底面に固定される遊技機取付用横木において、板状に形成された横木本体と、この横木本体の一面にビス又は釘によって形成された穴と、この穴の底部及び中間部に充填された第１穴充填用パテと、前記穴の少なくとも入口部に充填された第２穴充填用パテと、を有してなることを特徴としている。
請求項３の考案は、遊技機が取り付けられる島台の遊技機収容開口部の天面と底面に固定される遊技機取付用横木において、板状に形成された横木本体と、この横木本体の一面にビス又は釘によって形成された穴と、この穴の底部及び中間部に充填された粘度の低い第１穴充填用パテと、前記穴の入口部に少なくとも充填された粘度の高い第２穴充填用パテと、を有してなることを特徴としている。
【考案の効果】
【０００６】
本考案の遊技機取付用横木は、遊技機取付横木を交換したり、あるいは島台自体を取り壊して島台を新たに設置し直さなくてもパチンコ機を作業者の思い通りの角度で島台に取り付けることができるという優れた効果を有する。
本考案の遊技機取付用横木は、遊技機取付横木を交換したり、あるいは島台自体を取り壊さなくてもパチンコ機を作業者の思い通りの角度で島台に取り付けることができるので、パチンコ機の交換時における労力や作業時間を軽減することができると共に費用を大幅に少なくすることができるという優れた効果を有する。
また、本考案の遊技機取付用横木は、遊技機取付横木を交換したり、あるいは島台自体を取り壊したりする必要がないので、資源の無駄を省くことができると共に自然環境にも優しいという優れた効果を有する。
請求項２、請求項３の遊技機取付用横木は、上記優れた効果の他に、穴充填用パテの削りカスを散らかり難くすることができるという優れた効果を有する。
【図面の簡単な説明】
【０００７】
【図１】実施例の遊技機取付用横木の一部平面図である。
【図２】実施例の遊技機取付用横木の一部拡大縦断面図である。
【図３】実施例の遊技機取付用横木に形成されたビス穴を埋める工程を示す一部拡大縦断面図である。
【図４】実施例の遊技機取付用横木にパチンコ機枠をビスで固定した状態を示す一部縦断面図である。
【図５】一部にパチンコ機が取り付けられた島台の斜視図である。
【図６】島台に形成されたパチンコ機収容部に取り付けられるパチンコ機のパチンコ機枠の斜視図である。
【図７】島台に形成されたパチンコ機収容部の底面に固定された多数のビス穴が形成された従来の遊技機取付用横木の斜視図である。
【図８】図７の一部拡大平面図である。
【考案を実施するための形態】
【０００８】
考案を実施するために最良の形態の例として以下のような実施例を示す。
【実施例１】
【０００９】
図１〜図６には本考案に係る遊技機取付用横木の一実施例が示されている。
図５に示されるように、パチンコ店には島台１０が設置され、この島台１０には遊技機としてのパチンコ機１１が横方向に並んで取り付けられている。このパチンコ機１１はパチンコ機１１の中核をなすパチンコ機本体１２と、このパチンコ機本体１２が取り付けられる木製の上枠部１３Ａ、木製の下枠部１３Ｂ、左右の側枠部１３Ｃ，１３Ｃから形成された縦長の矩形枠状のパチンコ機枠１３（図６参照）とから構成されている。
【００１０】
前記島台１０には横方向に向かって遊技機収容開口部としてのパチンコ機収容開口部１４が複数並んで開口形成されている（なお、図５にはパチンコ機収容開口部１４を１つのみ示す）。このパチンコ機収容開口部１４の天面１４Ａと底面１４Ｂには遊技機取付用横木１６が１枚づつ適宜固定手段によって固定されている。
【００１１】
図１及び図２に示されるように、前記遊技機取付用横木１６は平面視長方形状で板状の木材で形成された横木本体１８を備えている。
この横木本体１８の一面１８Ａにはパチンコ機１１のパチンコ機枠１３を横木本体１８に固定するためにドライバー（図示せず）で螺入されたビス２２（図４参照）により形成された穴としてのビス穴２４が多数形成されている。
【００１２】
図１及び図２に示されるように、これらビス穴２４には穴充填用パテ２６が注入されている。この穴充填用パテ２６を前記ビス穴２４に注入することにより、前記横木本体１８の一面１８Ａに形成されたビス穴２４は穴充填用パテ２６で充填されるようになっている。
【００１３】
図２に示されるように、前記ビス穴２４に充填された穴充填用パテ２６は第１穴充填用パテ２６Ａと第２穴充填用パテ２６Ｂの２層構造になっている。
前記第１穴充填用パテ２６Ａは公知のエポキシ樹脂パテよりも粘度が低く、硬化しても比較的柔らかい性質を有している公知のパテである。
また、前記第２穴充填用パテ２６Ｂは公知のエキシポ樹脂パテであり、粘度が高く、硬化すると第１穴充填用パテ２６Ａよりも固くなる性質を有しているパテである。
【００１４】
前記第１穴充填用パテ２６Ａはビス穴２４の底部２４Ａから中間部２４Ｂにかけて充填されている。また、前記第２穴充填用パテ２６Ｂはビス穴２４の入口部２４Ｃに充填されている。
【００１５】
従って、遊技機取付用横木１６の横木本体１８に形成されたビス穴２４には穴充填用パテ２６が充填されているので横木本体１８に多数のビス穴２４が存在していても横木本体１８にビス２２を螺入した場合、ビス２２は既存のビス穴２４に影響を受けることなく横木本体１８に確実に保持される。
また、ビス２２を螺入することにより第１穴充填用パテ２６Ａが削られたとしても、削りカスは第２穴充填用パテ２６Ｂが蓋の役目をすることによって散らかるのを可及的に防止するようになっている。
【００１６】
次に、前記遊技機取付用横木１６の横木本体１８の一面１８Ａに形成されたビス穴２４を埋める手順を説明する。
島台１０のパチンコ機収容開口部１４に設けられている遊技機取付用横木１６の横木本体１８に形成されているビス穴２４に第１穴充填用パテ２６Ａを充填し、第１穴充填用パテ２６Ａをビス穴２４の底部２４Ａ及び中間部２４Ｂに充填する（図３参照）。
前記第１穴充填用パテ２６Ａは粘度が低いため、ビス穴２４の底部２４Ａと中間部２４Ｂに容易に充填することができる。
【００１７】
前記ビス穴２４に第１穴充填用パテ２６Ａを充填したら、ビス穴２４の入口部２４Ｃに前記第２穴充填用パテ２６Ｂを充填する。
これにより、第２穴充填用パテ２６Ｂが第１穴充填用パテ２６Ａの蓋をする状態となり、遊技機取付用横木１６のビス穴２４の充填作業が終了する。
従って、遊技機取付用横木１６の横木本体１８の一面１８Ａに形成されている多数のビス穴２４を穴充填用パテ２６で簡単かつ迅速に充填してフラットにすることができる。
【００１８】
なお、前記横木本体１８の一面１８Ａから第２穴充填用パテ２６Ｂが少し盛り上がった状態で硬化したらサンドペーパー等で前記第２穴充填用パテ２６Ｂを擦り、前記横木本体１８の一面１８Ａをフラットにしてもよい。
【００１９】
次に、実施例の遊技機取付用横木１６の作用を説明する。
新しいパチンコ機１１の新規入れ替え交換時にパチンコ機枠１３の上枠部１３Ａをパチンコ機収容部１４の天面１４Ａに設けられた遊技機取付横木１６に、パチンコ機枠１３の下枠部１３Ｂをパチンコ機収容部１４の底面１４Ｂに設けられた遊技機取付横木１６に固定するために遊技機取付横木１６にビス２２を螺入する場合、前記遊技機取付横木１６の横木本体１８に既に形成されているビス穴２４は穴充填用パテ２６によって埋められている。
このため、既存のビス穴２４が形成されていた箇所にビス２２を螺入する場合であっても既存のビス穴２４に影響されずにビス２２を効かせた状態で遊技機取付横木１６にビス２２を螺入することができる。
【００２０】
これによりパチンコ機枠１３を遊技機取付横木１６に固定できることは勿論、作業者の思い通りの角度にパチンコ機枠１３を傾斜させた状態でパチンコ機収容部１４に固定することができる。
従って、前記遊技機取付用横木１６を使用することによりパチンコ機１１の新規入れ替え交換時にビス穴２４が形成されている遊技機取付用横木１を取り外したり、あるいは島台１０を取り壊して新しい島台１０を新たに設置する必要がない。
【００２１】
この結果、従来行われていた遊技機取付用横木の交換や島台の取り壊し作業や新しい島台の設置作業や費用を不要にすることができるので、パチンコ店の営業時間が終了した後の夜間時間だけでビス穴埋め作業を終了させることができるので、作業時間を短縮することができると共にパチンコ店の営業を休むことなく行うことができる。
また、パチンコ機の入れ替え交換の際にその都度生じていたパチンコ店の手間や費用を大幅に削減することができる。
しかも、従来のように遊技機取付用横木や島台の廃棄を減少させることができるので、資源の無駄を省くことができると共に自然環境的にも好ましい。
【００２２】
なお、実施例ではビス２２でパチンコ機１１のパチンコ機枠１３を島台１０に固定する場合を説明したが、前記パチンコ機枠１３を固定するのはビス２２に限定されるものでなく、例えばビス２２に代わって釘でパチンコ機枠１３を固定するようにしてもよいことは勿論である。
また、実施例ではビス穴２４を充填する穴充填用パテ２６は第１穴充填用パテ２６Ａと第２穴充填用パテ２６Ｂの２層構造にしたが、第１穴充填用パテ２６Ａ又は第２穴充填用パテ２６Ｂの１層構造でもよいことは勿論である。
なお、実施例では第２穴充填用パテ２６Ｂは公知のエキシポ樹脂パテにしたが、エポキシ樹脂に限定されるものでないことは勿論である。
【産業上の利用可能性】
【００２３】
本考案の遊技機取付用横木はパチンコ機だけでなく、パチスロ機等をはじめとして他の遊技機を取り付ける場合にも使用することができる。
【符号の説明】
【００２４】
１０    島台
１１    パチンコ機
１２    パチンコ機本体
１３    パチンコ機枠
１３Ａ  上枠部
１３Ｂ  下枠部
１３Ｃ  側枠部
１４    パチンコ機収容開口部
１４Ａ  天面
１４Ｂ  底面
１６    遊技機取付用横木
１８    横木本体
１８Ａ  一面
２２    ビス
２４    ビス穴
２４Ａ  底部
２４Ｂ  中間部
２４Ｃ  入口部
２６    穴充填用パテ
２６Ａ  第１穴充填用パテ
２６Ｂ  第２穴充填用パテ
【図１】
0003191430.tif 000003
【図２】
0003191430.tif 000004
【図３】
0003191430.tif 000005
【図４】
0003191430.tif 000006
【図５】
0003191430.tif 000007
【図６】
0003191430.tif 000008
【図７】
0003191430.tif 000009
【図８】
0003191430.tif 000010